(57)【要約】【課題】外れた容器保持部材を組み付ける際にスプリングの変形を抑制することができる車両用カップホルダー装置を提供する。【解決手段】容器を収納および保持する容器保持部材５と、該容器保持部材５を回動可能に軸支するホルダー本体３と、該ホルダー本体３に付勢された状態で設けられ、この付勢力によって容器保持部材５を押して開成方向に回動させるスプリング９と、を備えた車両用カップホルダー装置１である。前記スプリング９の端部を折り曲げて屈曲部１１を形成すると共に、前記容器保持部材５に、スプリング９の屈曲部１１が押し当てられるガイドリブ２１を突設することにより、前記ホルダー本体３および容器保持部材５を引き出す動作に伴って前記スプリング９が開放され、このスプリング９の屈曲部２２が容器保持部材５のガイドリブ２１を押して容器保持部材５を開成させるように構成した。【選択図】図２
2010163019.tif 000002
【特許請求の範囲】
【請求項１】
容器を収納および保持する容器保持部材と、該容器保持部材を回動可能に軸支するホルダー本体と、該ホルダー本体に付勢された状態で設けられ、この付勢力によって容器保持部材を押して開成方向に回動させるスプリングと、を備えた車両用カップホルダー装置であって、
前記スプリングの端部を折り曲げて屈曲部を形成すると共に、前記容器保持部材に、スプリングの屈曲部が押し当てられるガイドリブを突設することにより、
前記ホルダー本体および容器保持部材を引き出す動作に伴って前記スプリングが開放され、このスプリングの屈曲部が容器保持部材のガイドリブを押して容器保持部材を開成させるように構成したことを特徴とする車両用カップホルダー装置。
【請求項２】
前記容器保持部材のガイドリブにおける外周縁は、容器保持部材をホルダー本体に挿入して組み付ける際に前記スプリングの屈曲部が当接する挿入領域と、前記ホルダー本体および容器保持部材を引き出す際に容器保持部材を開成させる作動領域とからなり、これらの挿入領域と作動領域とを滑らかに繋げて形成したことを特徴とする請求項１に記載の車両用カップホルダー装置。
【請求項３】
前記容器保持部材のガイドリブを、前記スプリングの屈曲部における高さ方向中央部に押し当てるように構成したことを特徴とする請求項１または２に記載の車両用カップホルダー装置。
【発明の詳細な説明】
【技術分野】
【０００１】
本発明は、車両用カップホルダー装置に関する。
【背景技術】
【０００２】
従来から、飲料缶等の容器を収納するカップホルダー装置を車両室内に設ける技術が知られている。このカップホルダー装置としては、例えば前面にリッドを回動可能に設けた箱状のケースと、該ケースの内部に収納された円環状の容器ホルダー部材と、該容器ホルダー部材を付勢して回動させるスプリングとを備え、前記リッドを開成させる動作に伴って、容器ホルダー部材がスプリングの付勢力によって左右両側に開くように構成されている（例えば、特許文献１参照）。
【先行技術文献】
【特許文献】
【０００３】
【特許文献１】特開２０００−１８５５８７号公報
【発明の概要】
【発明が解決しようとする課題】
【０００４】
しかしながら、かかる従来のカップホルダー装置では、容器ホルダー部材が外れてしまい、ケースに再度組み付ける際に、容器ホルダー部材がスプリングの端部に当たり過度に押し込んでしまい、スプリングを変形させるおそれがあった。
【０００５】
そこで、本発明は、外れた容器保持部材を組み付ける際にスプリングの変形を抑制することができる車両用カップホルダー装置を提供するものである。
【課題を解決するための手段】
【０００６】
本発明に係る車両用カップホルダー装置は、容器を収納および保持する容器保持部材を、ホルダー本体に回動可能に組み付けると共に、該ホルダー本体に付勢された状態でスプリングを配設し、この付勢力によって容器保持部材を押して開成方向に回動させる車両用カップホルダー装置であって、前記スプリングの端部を折り曲げて屈曲部を形成すると共に、前記容器保持部材に、スプリングの屈曲部が押し当てられるガイドリブを突設することにより、前記ホルダー本体および容器保持部材を引き出す動作に伴って前記スプリングが開放され、このスプリングの付勢力によって屈曲部が容器保持部材のガイドリブを押して容器保持部材を開成させるように構成している。
【発明の効果】
【０００７】
本発明に係る車両用カップホルダー装置によれば、前記容器保持部材にガイドリブを突設すると共に、スプリングの端部を折り曲げて屈曲部を形成し、前記ガイドリブとスプリングの屈曲部とを当接させるため、前記容器保持部材がホルダー本体から外れて、再度、ホルダー本体に組み付ける場合でも、容器保持部材でスプリングを変形させることを抑制することができる。
【図面の簡単な説明】
【０００８】
【図１】本発明の実施形態によるカップホルダー装置を示す斜視図である。
【図２】図１の平面図であり、ホルダー本体の部分は断面を示す。
【図３】一対の容器保持部材が閉成した格納状態を示すカップホルダー装置の平面図である。
【図４】図１における左側の容器保持部材を外した状態を示すカップホルダー装置の斜視図である。
【図５】本発明の実施形態による容器保持部材を示す斜視図である。
【図６】図５の平面図である。
【図７】容器保持部材をホルダー本体に挿入する際の初期段階を示す平面図である。
【図８】容器保持部材をホルダー本体に挿入する際の途中段階を示す平面図である。
【図９】容器保持部材をホルダー本体に挿入する際の最終段階を示す平面図である。
【図１０】本発明による容器保持部材とスプリングとの当接部分を拡大した概略図である。
【図１１】比較例による容器保持部材とスプリングとの当接部分を拡大した概略図である。
【発明を実施するための形態】
【０００９】
以下、本発明の実施形態を図面と共に詳述する。
【００１０】
図１は本発明の実施形態によるカップホルダー装置を示す斜視図、図２は図１の平面図であり、ホルダー本体の部分は断面を示す。また、図３は一対の容器保持部材が閉成した格納状態を示すカップホルダー装置の平面図、図４は図１における左側の容器保持部材を外した状態を示すカップホルダー装置の斜視図である。図５は本発明の実施形態による容器保持部材を示す斜視図、および、図６は図５の平面図である。
【００１１】
これらの図に示すように、本実施形態によるカップホルダー装置１は、缶飲料やコップ等の容器を収納して保持する容器保持部材５と、該容器保持部材５を回動軸１５を介して回動可能に軸支するホルダー本体３と、該ホルダー本体３に配設されて、格納状態では、図３に示すように折り曲げられて付勢されたスプリング９とを備えている。
【００１２】
前記ホルダー本体３は、上面２、下面４および側面６からなる断面略矩形状の筒状部材であり、上面２および下面４には、左右に所定間隔をおいて配置された一対の支持孔１７，１７が穿設されている。また、これらの支持孔１７，１７よりも幅方向中央側にスプリング保持体１３，１３が配設されている。これらのスプリング保持体１３，１３は、左右方向に離間された板状部材であり、容器保持部材５側の先端にスプリング９が押し当てられることによってスプリング９が所定角度で保持される。そして、ホルダー本体３の左右方向中央部、即ち、一対のスプリング保持体１３，１３の左右方向中央部分には、円柱状のスプリング保持ピン７が配設されている。このスプリング保持ピン７にスプリング９が巻回されて取り付けられている。
【００１３】
前述したスプリング９は、中央側に配置されて巻回された保持部８と、該保持部８から両側に向けて延びる延設部１０と、該延設部１０の端部を略Ｌ字状に折り曲げた屈曲部１１と、から一体形成されている。前記保持部８は、高さ方向に複数回巻回されて前記スプリング保持ピン７に保持されている。また、前記屈曲部１１は、図１および図４に示すように、延設部１０の先端を上方に向けて直角に折り曲げて略Ｌ字状に形成されている。
【００１４】
図５，６に示すように、容器保持部材５は、容器を収容および保持する略円環状の容器収納部２５と、該容器収納部２５の端部から延びる脚部１９と、から一体形成されている。前記容器収納部２５には、内周側に向けて押圧体２７が突設されており、該押圧体２７は、上下方向に回動可能に構成され、図外のスプリングによって上方に付勢されている。従って、径が小さい容器が容器収納部２５の内部に挿入されたときは、前記押圧体２７が容器の側面を押圧するため、容器を確実に保持することができる。
【００１５】
前記脚部１９の端部には、上下方向に回動軸１５が突設されており、該回動軸１５は、ホルダー本体３の支持孔１７に回動可能に挿入および係止されている。また、脚部１９における幅方向中央側の側面には、ガイドリブ２１が設けられている。このガイドリブ２１は、図１，４に示すように脚部１９の厚さ方向（高さ方向）中央部に形成され、図６に示すように外周縁２３が平面視で略円弧状に形成されている。即ち、ガイドリブ２１の外周縁２３は、回動軸１５近傍に配置された円弧状の挿入領域Ｘと容器収納部２５側に配置された平面視略直線状の作動領域Ｙとからなり、これらの挿入領域Ｘと作動領域Ｙとは滑らかに連続して形成されている。
【００１６】
前記挿入領域Ｘは、容器保持部材５をホルダー本体３に挿入して組み付ける際に、前記スプリング９の屈曲部１１が当接する部位であり、前記作動領域Ｙは、ホルダー本体３と容器保持部材５を引き出す動作に伴って前記スプリング９が拡がろうとして屈曲部１１が押し当てられる部位である。
【００１７】
次いで、本発明の実施形態による容器保持部材５をホルダー本体３に挿入して組み付ける手順を簡単に説明する。
【００１８】
図７は容器保持部材をホルダー本体に挿入する際の初期段階を示す平面図、図８は容器保持部材をホルダー本体に挿入する際の途中段階を示す平面図、および、図９は容器保持部材をホルダー本体に挿入する際の最終段階を示す平面図である。
【００１９】
まず、図７に示すように、ホルダー本体３の前側開口部３１から容器保持部材５の脚部１９を挿入する。このとき、スプリング９は、スプリング保持体１３の先端に当たっているため、外方に開こうとする付勢力が作用した状態で保持されている。こののち、図８に示すように、容器保持部材５の脚部１９をさらに挿入していくと、ガイドリブ２１の外周縁２３のうち挿入領域Ｘの部位にスプリング９の屈曲部１１が当接するため、スプリング９の延設部１０が幅方向中央側に向けて徐々に折り曲げられる。そして、図９に示すように、容器保持部材５の回動軸１５がホルダー本体３の支持孔１７に挿入および係止されると、ガイドリブ２１の外周縁２３のうち作動領域Ｙの部位にスプリング９の屈曲部１１が当接するため、スプリング９の延設部１０が幅方向中央側に向けてさらに折り曲げられて付勢力が作用される。
【００２０】
図１０は本発明による容器保持部材とスプリングとの当接部分を拡大した概略図、および、図１１は比較例による容器保持部材とスプリングとの当接部分を拡大した概略図である。
【００２１】
本発明では、図１０に示すように、ガイドリブ２１をスプリング９の屈曲部１１の高さ方向中央部に当接させている。即ち、スプリング９の屈曲部１１は、延設部１０の端部を上方に向けて略Ｌ字状に折り曲げて形成しているが、この屈曲部１１の高さ方向中央部に容器保持部材５のガイドリブ２１を当接させている。これによって、容器保持部材５に対して図１０の矢印方向に外力Ｆが作用すると、ガイドリブ２１がスプリング９の屈曲部１１の高さ方向中央部に押し当てられ、スプリング９に対して過剰な荷重が入力されないため、スプリング９に破損や曲がり等が生じにくい。
【００２２】
一方、図１１に示した比較例のように、ガイドリブ２１をスプリング９の屈曲部１１の下端部（根本部）に当接させると、容器保持部材５に対して加えられた外力Ｆはガイドリブ２１を介して屈曲部１１の下端部に入力され、直線状に形成された延設部１０に直接に伝達される。従って、延設部１０が外力Ｆに対して突っ張るようになり、スプリング９に対して過剰な荷重が入力されるため、スプリング９に破損等が生じやすくなるおそれがある。
【００２３】
次いで、前記容器保持部材５を左右両側に開成させる手順を簡単に説明する。
【００２４】
まず、図１に示すように、左右一対の容器保持部材５が上下方向にオフセット配置されているため、容器保持部材５が格納された状態では、図３に示すように、一対の容器保持部材５が上下に重なって収納されている。また、スプリング９は、容器保持部材５のガイドリブ２１に押し当てられて付勢されている。
【００２５】
そして、図２に示すように、容器保持部材５およびホルダー本体３を手前側に引いて移動させると、スプリング９が開放されて左右両側に開き、端部の屈曲部１１が付勢力によって容器保持部材５のガイドリブ２１のＹ領域（図６参照）をスライドさせながら押し広げるため、容器保持部材５が回動軸１５を中心に矢印方向に回動する。
【００２６】
以下に、本発明の実施形態による作用効果を説明する。
【００２７】
（１）本発明の実施形態による車両用カップホルダー装置は、容器を収納および保持する容器保持部材５と、該容器保持部材５を回動可能に軸支するホルダー本体３と、該ホルダー本体３に付勢された状態で設けられ、この付勢力によって容器保持部材５を押して開成方向に回動させるスプリング９と、を備えた車両用カップホルダー装置であって、前記スプリング９の端部を折り曲げて屈曲部１１を形成すると共に、前記容器保持部材５に、スプリング９の屈曲部１１が押し当てられるガイドリブ２１を突設することにより、前記ホルダー本体３および容器保持部材５を引き出す動作に伴って前記スプリング９が開放され、このスプリング９の屈曲部１１が容器保持部材５のガイドリブ２１を押して容器保持部材５を開成させるように構成している。
【００２８】
従って、前記容器保持部材５がホルダー本体３から外れて、再度、ホルダー本体３に組み付ける場合でも、容器保持部材５でスプリング９を押して変形させることを抑制することができる。また、スプリング９の屈曲部１１をガイドリブ２１に押し当てるようにしたため、屈曲部１１がガイドリブ２１に線接触した状態で摺動するため、容器保持部材５を円滑に開成させることができる。
【００２９】
（２）前記容器保持部材５のガイドリブ２１における外周縁２３は、容器保持部材５をホルダー本体３に挿入して組み付ける際に前記スプリング９の屈曲部１１が当接する挿入領域Ｘと、前記ホルダー本体３および容器保持部材５を引き出す際に容器保持部材５を開成させる作動領域Ｙとからなり、これらの挿入領域Ｘと作動領域Ｙとを滑らかに繋げて形成している。
【００３０】
従って、容器保持部材５をホルダー本体３に挿入して組み付ける際に、スプリング９の屈曲部１１がガイドリブ２１に当たりながらガイドリブ２１の外周縁２３を滑らかにスライドするため、容器保持部材５の組付作業をスムーズに行うことができる。また、挿入領域Ｘと作動領域Ｙとを滑らかに繋げて形成されているため、仮に、スプリング９の屈曲部１１がガイドリブ２１の作動領域Ｙに当接した場合でも、屈曲部１１が挿入領域Ｘと作動領域Ｙとの境界部分で引っかかりにくく、円滑に組付作業を行うことができる。
【００３１】
（３）前記容器保持部材５のガイドリブ２１を、前記スプリング９の屈曲部１１における高さ方向中央部に押し当てるように構成している。
【００３２】
これによって、図１０に示すように、容器保持部材５に対して矢印方向に外力Ｆが作用すると、ガイドリブ２１がスプリング９の屈曲部１１の高さ方向中央部に押し当てられ、スプリング９に対して過剰な荷重が入力されないため、スプリング９に破損や曲がり等が生じにくい。
【符号の説明】
【００３３】
Ｘ…挿入領域
Ｙ…作動領域
１…カップホルダー装置
３…ホルダー本体
５…容器保持部材
９…スプリング
１１…屈曲部
２１…ガイドリブ
２２…屈曲部
２３…外周縁
２５…容器収納部
【図１】
2010163019.tif 000003
【図２】
2010163019.tif 000004
【図３】
2010163019.tif 000005
【図４】
2010163019.tif 000006
【図５】
2010163019.tif 000007
【図６】
2010163019.tif 000008
【図７】
2010163019.tif 000009
【図８】
2010163019.tif 000010
【図９】
2010163019.tif 000011
【図１０】
2010163019.tif 000012
【図１１】
2010163019.tif 000013